(57)【要約】【課題】  吸引口の前後の吸引力を均等化して清掃ムラが生じる事態を防止し、吸引口の開口面積を大きくできるようにして清掃効率の向上を図る。【解決手段】  上壁２，下壁３及び側壁４で囲繞され筒状に形成された本体１を備え、本体１の先端５側の下壁３側に軸線方向に沿う細長の吸引口１０を有し、吸引口１０を前側吸引口１１と後側吸引口１２とに分ける仕切り壁２０を備えた電気掃除機用吸引ノズルＮにおいて、一端３１が後側吸引口１２の後端１２ｂに連設され他端３２が先端５側であって上壁２側に向けて立ち上り他端３２と上壁２との間に吸引開口部４０を形成する隔壁３０を設け、仕切り壁２０を、前側吸引口１１の中央１１ｃから吸引開口部４０の中央４０ａに至る前側吸気経路１３の長さと後側吸引口１２の中央１２ｃから吸引開口部４０の中央４０ａに至るまでの後側吸気経路１４の長さとが略同じ長さになるように隔壁３０の他端３２の下側に設けた。【選択図】図１
2009273510.tif 000002
【特許請求の範囲】
【請求項１】
上壁，下壁及び一対の側壁で囲繞され筒状に形成された本体を備え、該本体の基端に電気掃除機本体と連通して接続される接続部を有し該本体の先端側の下壁側に軸線方向に沿う細長の吸引口を有するとともに、上記本体の一対の側壁間に架設され上記吸引口を前側吸引口と後側吸引口とに分ける仕切り壁を備えた電気掃除機用吸引ノズルにおいて、
上記一対の側壁間に架設され一端が上記後側吸引口の後端に連設され他端が上記本体の先端側であって上記上壁側に向けて立ち上り、該他端と上記上壁との間に吸引開口部を形成する隔壁を設け、上記仕切り壁を、上記前側吸引口の中央から上記吸引開口部の中央に至る前側吸気経路長さと、上記後側吸引口の中央から上記吸引開口部の中央に至るまでの後側吸気経路長さとが略同じ長さになるように上記隔壁の他端の下側に設けたことを特徴とする電気掃除機用吸引ノズル。
【請求項２】
上記前側吸引口の軸方向開口長と、上記後側吸引口の軸方向開口長とを略同じ長さに形成したことを特徴とする請求項１記載の電気掃除機用吸引ノズル。
【請求項３】
上記隔壁の他端を、上記吸引口の軸方向開口長の中間位置に位置させたことを特徴とする請求項１または２記載の電気掃除機用吸引ノズル。
【発明の詳細な説明】
【技術分野】
【０００１】
本発明は、電気掃除機の吸引力により、例えば、塵埃等のゴミを吸引する電気掃除機用吸引ノズルに関し、特に、軸線方向に沿う細長の吸引口を有した電気掃除機用吸引ノズルに関する。
【背景技術】
【０００２】
一般に、電気掃除機においては、図５に示すように、吸引力を増加させて用いる着脱可能な電気掃除機用吸引ノズルＮａが備えられている。この吸引ノズルＮａは、上壁２，下壁３及び一対の側壁４で囲繞され筒状に形成された本体１を備え、この本体１の基端６に電気掃除機本体（図示せず）と連通して接続される接続部７を有し、本体１の先端５側の下壁３側に軸線方向に沿う細長の吸引口１０を有して形成されている。この電気掃除機用吸引ノズルＮａは、例えば、畳やフローリング等の床面，床面に敷いた絨毯等に吸引口１０を沿わせて移動させ、あるいは、家具の裏等の狭い場所に挿入して用いられる。また、床面の掃除以外に、布団，こたつ掛けや衣服等の布類に、吸引口１０を沿わせて移動させ、例えば、塵埃等のゴミを吸引させることも行なう。このような電気掃除機用吸引ノズルＮａは、長さが、約１０ｃｍ程度のものから１ｍ以上のものまであるが、吸引口１０の軸方向開口長は、先端から５ｃｍ程度の長さである。
ところで、この電気掃除機用吸引ノズルＮａにおいては、広い面積を一時に掃除できるようにするために、吸引口１０の軸方向開口長を長くすることが考えられるが、吸引口１０の軸方向開口長を長くする程、電気掃除機本体（図示せず）に近い吸引口１０の後端の吸引力が強くなり、相対的に吸引口１０の前端の吸引力が弱くなることから、前後の吸引力が不均一になり、清掃ムラが生じるという問題があった。
【０００３】
従来、上記の問題を解決するために、吸引口１０の軸方向開口長を長くし、この吸引口１０を２以上に仕切ったものがある（例えば、特許文献１（特開平８−１１７１５９号公報）に記載）。
図６に示すように、この電気掃除機用吸引ノズルＮｂは、上壁２，下壁３及び一対の側壁４で囲繞され筒状に形成された本体１を備え、この本体１の基端６に電気掃除機本体（図示せず）と連通して接続される接続部７を有し本体１の先端５側の下壁３側に軸線方向に沿う細長の吸引口１０を有するとともに、本体１の一対の側壁４間に架設され吸引口１０を前側吸引口１１と後側吸引口１２とに分ける仕切り壁２０を備えて構成されている。この仕切り壁２０により、前側吸引口１１から本体１の基端６に至る通路１００と、後側吸引口１２から本体１の基端６に至る通路１０１とが形成されている。
【０００４】
この電気掃除機用吸引ノズルＮｂを用いて掃除をするときは、本体１の接続部７を電気掃除機本体（図示せず）に接続し、電気掃除機を駆動させる。電気掃除機を駆動させると、前側吸引口１１及び後側吸引口１２から、例えば、塵埃等のゴミが吸引され、吸引されたゴミは、通路１００、１０１を通過して本体１の基端６に至る。そして、本体１の基端６に至ったゴミは、接続部７を通って電気掃除機本体内のゴミ収納部（図示せず）に収納される。このとき、吸引口１０は前側吸引口１１と後側吸引口１２との２つに仕切られているので、吸引口１０の軸方向開口長が長くても各吸引口１１、１２個々においては、前端と後端との吸引力の差が防止される。
【０００５】
【特許文献１】特開平８−１１７１５９号公報
【発明の開示】
【発明が解決しようとする課題】
【０００６】
しかしながら、この従来の電気掃除機用吸引ノズルＮｂにおいては、前側吸引口１１から吸引されたゴミが本体１の基端６に至る通路１００の距離が、後側吸引口１２から吸引されたゴミが本体１の基端６に至る通路１０１の距離よりも長く形成されているため、吸引力は後側吸引口１２よりも前側吸引口１１の方が弱くなり、そのため、吸引口１０全体では、前後の吸引力が不均一になり、清掃ムラが生じる問題はさほど解消されていない。
また、前後の吸引力が不均一になることから、それだけ、吸引口１０の軸方向開口長が制限されてしまい、清掃効率に劣るという問題もあった。
【０００７】
本発明は、このような問題点に鑑みてなされたもので、吸引口の前後の吸引力を均等化して清掃ムラが生じる事態を防止し、吸引口の開口面積を大きくできるようにして清掃効率の向上を図った電気掃除機用吸引ノズルを提供することを目的とする。
【課題を解決するための手段】
【０００８】
このような目的を達成するため、本発明の電気掃除機用吸引ノズルは、上壁，下壁及び一対の側壁で囲繞され筒状に形成された本体を備え、該本体の基端に電気掃除機本体と連通して接続される接続部を有し該本体の先端側の下壁側に軸線方向に沿う細長の吸引口を有するとともに、上記本体の一対の側壁間に架設され上記吸引口を前側吸引口と後側吸引口とに分ける仕切り壁を備えた電気掃除機用吸引ノズルにおいて、上記一対の側壁間に架設され一端が上記後側吸引口の後端に連設され他端が上記本体の先端側であって上記上壁側に向けて立ち上り、該他端と上記上壁との間に吸引開口部を形成する隔壁を設け、上記仕切り壁を、上記前側吸引口の中央から上記吸引開口部の中央に至る前側吸気経路長さと、上記後側吸引口の中央から上記吸引開口部の中央に至るまでの後側吸気経路長さとが略同じ長さになるように上記隔壁の他端の下側に設けた構成としている。
【０００９】
これにより、電気掃除機用吸引ノズルを用いて掃除するときは、本体の接続部を電気掃除機本体に接続し、電気掃除機を駆動させる。電気掃除機を駆動させると、前側吸引口及び後側吸引口から例えば、塵埃等のゴミが吸引され、吸引されたゴミは、吸気経路を通過して吸引開口部に至る。そして、吸引開口部に至ったゴミは、本体の基端に至り、接続部を通って電気掃除機本体内に入り、例えば、電気掃除機本体内に設けられているゴミ収納部等に収納される。
【００１０】
このとき、前側吸気経路と後側吸気経路とは、隔壁と仕切り壁によって、その長さが略同じに形成されているので、前側吸引口と後側吸引口との吸引力が略同じになり、そのため、吸引口の前後の吸引力が均等化されるので、前後の清掃ムラが生じる事態が防止される。また、吸引口の吸引力が均等化されると、吸引口の軸方向開口長を長くしても前側吸引口と後側吸引口との吸引力は略同じままで低下しないので、吸引口の開口面積を大きくすることができ、そのため、広い面積を一時に掃除できるようになり、清掃効率を向上させることができる。
【００１１】
そして、必要に応じ、上記前側吸引口の軸方向開口長と、上記後側吸引口の軸方向開口長とを略同じ長さに形成した構成としている。
この場合、上記隔壁の他端を、上記吸引口の軸方向開口長の中間位置に位置させた構成としたことが有効である。
これにより、前側吸引口と後側吸引口とのバランスが良くなるので、より確実に、前側吸引口の中央から吸引開口部の中央に至る前側吸気経路長さと後側吸引口の中央から吸引開口部の中央に至るまでの後側吸気経路長さとを略同じ長さにすることができる。
【発明の効果】
【００１２】
本発明の電気掃除機用吸引ノズルによれば、仕切り壁により吸引口を前側吸引口と後側吸引口とに仕切り、本体の上壁との間に吸引開口部を形成する隔壁を設け、前側吸引口の中央から吸引開口部の中央に至る前側吸気経路長さと後側吸引口の中央から吸引開口部の中央に至るまでの後側吸気経路長さとを略同じ長さに形成したので、前側吸引口と後側吸引口との吸引力が略同じになり、そのため、吸引口の前後の吸引力が均等化されるので、前後の清掃ムラが生じる事態が防止される。また、吸引口の吸引力が均等化されると、吸引口の軸方向開口長を長くしても前側吸引口と後側吸引口との吸引力は略同じままで低下しないので、吸引口の開口面積を大きくすることができ、そのため、広い面積を一時に掃除できるようになり、清掃効率を向上させることができる。
【発明を実施するための最良の形態】
【００１３】
以下、添付図面に基づいて本発明の実施の形態に係る電気掃除機用吸引ノズルを説明する。尚、上記と同様のものには同一の符号を付して説明する。
図１乃至図４には、本発明の実施の形態に係る電気掃除機用吸引ノズルＮを示している。本吸引ノズルＮは、上壁２，下壁３及び一対の側壁４で囲繞され筒状に形成された本体１と、本体１の一対の側壁４間に架設され本体１の先端５側の下壁３側に軸線方向に沿って形成される細長の吸引口１０を前側吸引口１１と後側吸引口１２とに分ける仕切り壁２０と、一対の側壁４間に架設され一端３１が後側吸引口１２の後端１２ｂに連設され他端３２が本体１の先端５側であって上壁２側に向けて立ち上り他端３２と上壁２との間に吸引開口部４０を形成する隔壁３０とを備えて構成されている。
【００１４】
本体１は、図１乃至図４に示すように、基端６側が筒状に形成され、先端５に向かうに従って横断面が小さくなっている。この本体１には、本体１の基端６に電気掃除機本体（図示せず）と連通して接続される接続部７が形成され、本体１の先端５側の下壁３側に軸線方向に沿う細長の吸引口１０が形成されている。尚、本体１の横断面の形状は、矩形状、円形状等どのような形状でも良く、円形状等の形状であっても上壁２，下壁３及び一対の側壁４を特定することができる。
【００１５】
吸引口１０は、図１乃至図４に示すように、本体１の先端５から下壁３側に向かって軸線方向に沿って延びて形成されている。この吸引口１０は、軸方向開口長が１０ｃｍ〜１６ｃｍに形成されている。望ましくは１０ｃｍ〜１４ｃｍであり、実施の形態では、１２ｃｍに形成されている。この吸引口１０は、仕切り壁２０によって前側吸引口１１と後側吸引口１２とに分けられている。この前側吸引口１１及び後側吸引口１２の軸方向開口長は、実施の形態では、夫々４ｃｍに形成されている。
【００１６】
仕切り壁２０は、図１乃至図３に示すように、板状に形成され、前側吸引口１１の中央１１ｃから吸引開口部４０の中央４０ａに至るまでの前側吸気経路１３の長さと、後側吸引口１２の中央１２ｃから吸引開口部４０の中央４０ａに至るまでの後側吸気経路１４の長さとが略同じ長さになるように隔壁３０の他端３２の下側に設けられている。実施の形態では、一端部２１が吸引口１０より４ｍｍ本体１内部側に設けられており、他端部２２が本体１の先端５側であって上壁２側に向けて立ち上って設けられている。また、一端部２１から他端部２２までの長さは、吸引口１０の軸方向開口長の３分の１程度に形成され、実施の形態では、４ｃｍに形成されている。
【００１７】
隔壁３０は、図１乃至図３に示すように、板状に形成され、他端３２が吸引口１０の軸方向開口長の中間位置１５に位置している。また、隔壁３０の他端３２の真下に、仕切り壁２０が、その一端部２１と他端部２２との中間が位置するように設けられており、隔壁３０の他端３２が、吸引口１０の軸方向開口長の中間位置１５に位置していることから、前側吸引口１１の軸方向開口長と後側吸引口１２の軸方向開口長とが略同じ長さに形成されるようになる。
【００１８】
従って、この実施の形態に係る電気掃除機用吸引ノズルＮを用いて掃除をするときは、以下のようにする。
先ず、本体１の接続部７を電気掃除機本体（図示せず）に接続する。この状態で、電気掃除機を駆動させるとともに、掃除したい箇所に前側吸引口１１及び後側吸引口１２を接触させる。電気掃除機の吸引により、前側吸引口１１及び後側吸引口１２から、例えば、塵埃等のゴミが吸引される。吸引されたゴミは、吸気経路１３、１４を通過して吸引開口部４０に至る。そして、吸引開口部４０に至ったゴミは、本体１の基端６に至り、接続部７を通って電気掃除機本体内に入り、例えば、電気掃除機本体内に設けられているゴミ収納部（図示せず）等に収納される。
【００１９】
詳しくは、前側吸引口１１から吸引されたゴミは前側吸気経路１３を通って吸引開口部４０に至り、後側吸引口１２から吸引されたゴミは後側吸気経路１４を通って吸引開口部４０に至る。また、仕切り壁２０は、本体１内部に設けられているので、吸引口１０の中間位置１５からもゴミが吸引され、この吸引口１０の中間位置１５から吸引されたゴミは、最短経路を通って吸引開口部４０に向かおうとするが、仕切り壁２０により最短経路が遮断されているので、前側吸気経路１３あるいは後側吸気経路１４に迂回して吸引開口部４０に至る。このとき、前側吸引口１１においては、その軸方向開口長が４ｃｍに形成されているので、前端１１ａと後端１１ｂとの吸引力にはほとんど差がなく、また、後側吸引口１２においても、その軸方向開口長が４ｃｍに形成されているので、前端１２ａと後端１２ｂとの吸引力にはほとんど差がない。更に、前側吸気経路１３と後側吸気経路１４とは、隔壁３０と仕切り壁２０によって、その長さが略同じに形成されているので、前側吸引口１１と後側吸引口１２との吸引力が略同じになり、そのため、吸引口１０の吸引力が均等化されるので、前後の清掃ムラが生じる事態が防止される。
【００２０】
一つの箇所を掃除したら、次に掃除したい箇所へ本体１を移動させ、吸引口１０を掃除したい箇所に接触させる。この作業を繰り返して行ない、掃除したい全ての箇所を掃除する。
【００２１】
吸引口１０の吸引力が均等化されているので、吸引口１０の軸方向開口長を１２ｃｍもの長さに形成しても前側吸引口１１と後側吸引口１２との吸引力は略同じままで低下しない。即ち、吸引口１０の開口面積を大きくすることができるので、広い面積を一時に掃除できるようになり、清掃効率を向上させることができる。
【００２２】
また、前側吸引口１１と後側吸引口１２との吸引力が均等化されているので、前側吸引口１１が十分な吸引力を持ち、そのため、図３に示すように、本体１の先端５側を接触物に接触させ、本体１の基端６側を接触物から離間させて、主に前側吸引口１１で掃除をする等、多様な使用方法が可能である。
【００２３】
また、この電気掃除機用吸引ノズルＮに、本願出願人が先に提出した電気掃除機の吸引ノズル用アタッチメント（特許３４５９３９３号公報に記載）を付けて掃除をすることができる。この場合、特に、布団，こたつ掛けや衣服等の布類の掃除をする際に有効である。
【００２４】
図４に示すように、このアタッチメントＳは、吸引ノズルＮがその先端５から挿通される大きさの螺線５１で構成されるとともに、螺線５１を構成し間隔をもって順次列設される複数の線が挿通時に吸引口１０を横切るアタッチメント本体５０と、アタッチメント本体５０を吸引ノズルＮに取付けるための取付機構５２とを備えて構成されている。
このアタッチメントＳを本発明の電気掃除機用吸引ノズルＮに取付ける。取付けは、吸引ノズルＮの先端５をアタッチメント本体５０の基端５３側から挿入し、吸引ノズルＮを螺線５１内に入れて、取付機構５２により取付ける。
【００２５】
この状態で、掃除をしたい箇所に吸引ノズルＮの吸引口１０を螺線５１を介して対面させ、ゴミ等を吸引して掃除を行なう。このとき、吸引ノズルＮに接触する接触物が、布団，こたつ掛けや衣服等の布類である場合、これらの柔軟な接触物は、吸引口１０内に入り込もうとするが、アタッチメント本体５０により、吸い込まれようとする接触物が吸引口１０から隔てられるとともに、接触物に対する複数の線の接触部の両側に隙間ができ、この隙間が逃がし弁として機能する。そのため、接触物の面方向に風圧に逆らう張力が発生して接触物をこわばらせるようになり、その結果、接触物が吸引口にキッチリと纏わり付くことが防止される。即ち、接触物と吸引口１０との間に隙間が確保されるので、接触物が吸引口に吸い付かないために必要な空気の流入量が確保され接触物の吸い込みが防止されて、掃除する面を移動する際の滑りを良くして自由に動いてゴミを吸引させることができる。
【００２６】
この場合においても、電気掃除機用吸引ノズルＮの前側吸引口１１と後側吸引口１２との吸引力が均等化されているので、アタッチメントＳの効果と相俟って、前後の清掃ムラが生じる事態が防止される。
また、吸引口１０の吸引力が均等化されているので、吸引口１０の開口面積を大きくすることができ、そのため、広い面積を一時に掃除できるようになり、アタッチメントＳの効果と相俟って、清掃効率を向上させることができる。
【００２７】
尚、上記実施の形態において、隔壁３０の他端３２を吸引口１０の軸方向開口長の中間位置１５に位置させたが、必ずしもこれに限定されるものではなく、どの位置でも良く、適宜変更して差支えない。
また、上記実施の形態において、前側吸引口１１の軸方向開口長と後側吸引口１２の軸方向開口長とを略同じ長さにしたが、必ずしもこれに限定されるものではなく、前側吸気経路１３と後側吸気経路１４とが略同じ長さになるようにすれば良く、適宜変更して差支えない。
更に、上記実施の形態において、仕切り壁２０の一端部２１を吸引口１０より４ｍｍ本体１内部側に設けたが、必ずしもこれに限定されるものではなく、何ｍｍ内部側でも良く、適宜変更して差支えない。
【図面の簡単な説明】
【００２８】
【図１】本発明の実施の形態に係る電気掃除機用吸引ノズルを示す側面断面図である。
【図２】本発明の実施の形態に係る電気掃除機用吸引ノズルを示す底面図である。
【図３】本発明の実施の形態に係る電気掃除機用吸引ノズルの使用例の一例を示す図である。
【図４】本発明の実施の形態に係る電気掃除機用吸引ノズルに電気掃除機の吸引ノズル用アタッチメントを取付けた状態を示す図である。
【図５】一般的な電気掃除機用吸引ノズルを示す斜視図である。
【図６】従来の電気掃除機用吸引ノズルの一例を示す図である。
【符号の説明】
【００２９】
Ｎ  電気掃除機用吸引ノズル
１  本体
２  上壁
３  下壁
４  側壁
５  先端
６  基端
７  接続部
１０  吸引口
１１  前側吸引口
１２  後側吸引口
１３  前側吸気経路
１４  後側吸気経路
１５  中間位置
２０  仕切り壁
２１  一端部
２２  他端部
３０  隔壁
３１  一端
３２  他端
４０  吸引開口部
【図１】
2009273510.tif 000003
【図２】
2009273510.tif 000004
【図３】
2009273510.tif 000005
【図４】
2009273510.tif 000006
【図５】
2009273510.tif 000007
【図６】
2009273510.tif 000008